(57)【特許請求の範囲】
【請求項１】
ほぼ同一大きさとした数箇の容器体２を、胴部３相互を連結させて左右方向へ並設させると共に、各容器体２後面の上部には、各容器体２の上面開閉用の蓋体11をそれぞれヒンジ12を介して付設し、上記容器体胴部３の上部と、蓋体11外周から垂下させた周壁とを、それぞれ内外二重筒として、胴部３の内筒４外面へ蓋体内周壁15を、かつ胴部の外筒５外面へ蓋体外周壁16を、それぞれ嵌合させ、上記胴部３の内筒４外面へ、弾性筒７を嵌着させて、該弾性筒７を内筒４の外周部としたことを特徴とする連結容器。
【請求項２】
容器体胴部３の上部にリング21を嵌着させて該リング21を容器体胴部３の一部となし、該リング21後部に上記蓋体11付きのヒンジ12を付設した請求項１記載の連結容器。
【請求項３】
上記容器体胴部３の連結を、一方胴部３の外面に縦設したアリ31と、他方胴部３に縦設したアリ溝32との嵌合で行った請求項１又は請求項２記載の連結容器。
【発明の詳細な説明】
【０００１】
【発明の属する技術分野】
本発明は、連結容器に関する。
【０００２】
【従来の技術】
【発明が解決しようとする課題】
例えば化粧の際、数種の化粧料を使用するが、従来は各化粧料が個々の容器内に収納されており、従って化粧に際して必要とする化粧料入り容器を探すのに手間取ることがあった。特に携帯の際は面倒である。
【０００３】
そのような手間は、化粧時に使用する数種の化粧料を別々に収納させた連結容器があれば解決することが出来る。
【０００４】
本発明の連結容器はそのような用途に用いると便利なように設けたものである。
【０００５】
【課題を解決するための手段】
第１の手段として、ほぼ同一大きさとした数箇の容器体２を、胴部３相互を連結させて左右方向へ並設させると共に、各容器体後面の上部には、各容器体の上面開閉用の蓋体11をそれぞれヒンジ12を介して付設した。
【０００６】
第２の手段として、上記第１の手段を有すると共に、容器体胴部３の上部にリング21を嵌着させて該リングを容器体胴部の一部となし、該リング後部に上記蓋体11付きのヒンジ12を付設した。
【０００７】
第３の手段として、上記第１又は第２の手段を有すると共に、上記容器体胴部３の連結を、一方胴部の外面に縦設したアリ31と、他方胴部に縦設したアリ溝32との嵌合で行った。
【０００８】
第４の手段として、上記第１、第２又は第３の手段を有すると共に、上記容器体胴部３の上部と、蓋体11外周から垂下させた周壁とを、それぞれ内外二重筒として、胴部の内筒４外面へ蓋体内周壁15を、かつ胴部の外筒５外面へ蓋体外周壁16を、それぞれ嵌合させた。
【０００９】
第５の手段として、上記第４の手段を有すると共に、上記胴部３の内筒４外面へ、弾性筒７を嵌着させて、該弾性筒を内筒４の外周部とした。
【００１０】
【発明の実施の形態】
以下図面について説明すると、図１から図４は第１実施形態を示す。
【００１１】
１は連結容器で、ほぼ同一大きさに設けた複数の容器体２を、その胴部３を連結させて左右方向へ並設させ、又各容器体後面の上部にはヒンジを介して蓋体を連結させている。
【００１２】
容器体２は、その胴部３を内外二重筒とし、その内筒４と外筒５とを上下方向中間の上方寄り部分でフランジ６により連結している。フランジ上方の内筒部分外面へは、下半部を大外径とした弾性筒７、図示例ではエラストマー筒を嵌着させており、外筒５上部は図４のように上向き段部を介して小外径とし、その小外径部上端外面へ第１係合突条８を周設している。上記弾性筒７下部は上記フランジ６上面へ載置させて内外筒の間へ緊密に抜出し不能に嵌着させている。尚弾性筒上部は内筒４の上部外面を形成し、その外面へ後述の蓋体内周壁を嵌合可能としている。
【００１３】
上記容器体胴部の後面上部には、上記容器体の上面開閉用の蓋体11を、ヒンジ12を介して連結させている。
【００１４】
ヒンジ12は、弾性反転可能な三点ヒンジで形成するとよく、左右方向中間部に設けた第１ヒンジ12a と、該第１ヒンジの左右両側に設けた中間部を屈曲し、弾性変形する第２、第３ヒンジ12b 、12c とで形成している。
【００１５】
蓋体11は、頂壁14外周から、内外二重に内周壁15と外周壁16とを垂下し、その外周壁の下端部内面を外筒５の上部外面へ、又内周壁15の下端部内面を、弾性筒７の上部が形成する内筒上部外面へ、それぞれ嵌合させている。外筒の下端部内面へは第２係合突条を周設して、既述第１係合突条８下面へ係合させている。外周壁16の前面下端には蓋体開蓋用の指掛け突部17を付設している。
【００１６】
図５と図６とは第２実施形態を示す。該第２実施形態は、容器体胴部上方部分の外周部を、既述ヒンジ12および蓋体11付きの連結されたリング21で形成している。即ち、容器体胴部３の上部を上向き段部を介して小外径筒として該小外径筒を胴部の内筒４に形成し、又上記上向き段部の径方向中間から嵌着筒22を起立させて、該嵌着筒外面へリング21を嵌着させ、該リング上端に付設した内向きフランジ23上面から胴部外筒５としての短筒を起立させている。
【００１７】
上記嵌着筒22と内筒４下部との間には弾性筒７の下部を緊密に嵌合させ、かつその上方の内筒外面部分へ弾性筒上半の小外径部分を嵌着させて内筒４としている。
【００１８】
図７と図８とは第３実施形態を示す。該実施形態は、連結容器を形成する各個別の容器を、それぞれアリ31とアリ溝32との着脱によって、連結したり、又分離することが可能に形成している。アリ31とアリ溝32とは、図８が示すように、個別容器の容器体胴部３の左右側面の一方にアリ31を、又他方にアリ溝32を、それぞれ縦設させている。尚図示例では、第２実施形態の場合と同様に容器体をリング付きとしているが第１実施例の場合のようにリングを有しない容器体とすることも出来る。
【００１９】
既述第２、第３実施形態の他の部分は第１実施形態の場合と同じでよく、同一部分については同一符号を付することで説明を省略する。
【００２０】
【発明の効果】
本発明は既述構成とするもので、第１の手段のようにすることで、例えば各容器体内にそれぞれ異る化粧料を入れておき、これを携帯すれば、必要とする化粧料を収納させた連結容器を同時に取出すことが出来、個別の複数の容器内へそれぞれ別々の化粧料を収納させて、それ等複数容器を携帯する場合のように、必要とする化粧料入り容器取出しが面倒となることがない。又各容器にはヒンジを介して蓋体を付設しているから、化粧時に蓋体の置き場所に困るようなこともない。
【００２１】
第２の手段のようにすることで、リング21および蓋体11を容器体主要部と異る色又材質にすることが出来る。
【００２２】
第３の手段のようにすることで、連結容器を個々の容器に、又個々の容器を連結容器として携帯することが容易となり、又各個別容器を容器内への収納物に応じた材質、又色に変えることも出来る。
【００２３】
第４，５の手段のようにすることで、容器の気密性を高めることが出来る。
【図面の簡単な説明】
【図１】  本発明連結容器の一部を切欠いた、前面図である。
【図２】  図１連結容器の一部を開蓋させて示す斜視図である。
【図３】  容器連結部分を示す、拡大底面図である。
【図４】  容器連結部分を示す、拡大縦断面図である。
【図５】  第２実施形態で示す、縦断面図である。
【図６】  図５連結容器の平面図である。
【図７】  第３実施形態で示す、縦断面図である。
【図８】  図７連結容器の平面図である。
【符号の説明】
１…連結容器                  ２…容器体
４…内筒                      ５…外筒
７…弾性筒                    11…蓋体
12…ヒンジ                    15…内周壁
16…外周壁                    21…リング
23…内向きフランジ            31…アリ
32…アリ溝
【図１】
0004097987.tif 000002
【図２】
0004097987.tif 000003
【図３】
0004097987.tif 000004
【図４】
0004097987.tif 000005
【図５】
0004097987.tif 000006
【図６】
0004097987.tif 000007
【図７】
0004097987.tif 000008
【図８】
0004097987.tif 000009